(57)【特許請求の範囲】
【請求項１】
シャッターの左右のガイドレール（１１，１１）に左右端部を挿入し、上端をシャッターの下端で押さえて取り付けるようにしたパネル体からなり、そこに通気窓（２）を設け、パネル体が、パネル本体（１）の一端に、補助板（７）を出没自在に取り付けたものであり、補助板（７）の先がシャッターのガイドレール（１１）と係脱自在になっており、パネル本体（１）に、補助板（７）がパネル本体（１）から突出した状態を維持するための止め具（８）を取り付けたことを特徴とするシャッター用通風パネル。
【請求項２】
パネル本体（１）の上下にガイドレール（４，５）を設け、ガイドレール（４，５）に通気窓（２）を開閉可能とする窓遮蔽板（６）を摺動自在に取り付けたことを特徴とする請求項１記載のシャッター用通風パネル。
【発明の詳細な説明】
【０００１】
【産業上の利用分野】
この発明は、住宅の窓や、工場や商店の出入り口等に設けた既存のシャッターに着脱自在に取り付けて室内を通風状態にできるようにしたシャッター用通風パネルに関するものである。
【０００２】
【従来の技術】
従来より、シャッターのスラットに通風孔を設けて、室内を通風状態にできるようにした通風シャッターと一般に呼ばれるものがある。
【０００３】
しかし、工場や商店の出入り口には、通風孔のないシャッターを取り付けている場合が多く、後発的に通風シャッターに変更したい場合、シャッター全体の付け替えが必要になるので多くの費用がかかるという問題点があった。
【０００４】
また、通風孔のない既存のシャッターで、一時的に室内を通風状態にしたい場合は、シャッターを半開きにすることが多く、用心が悪くなり防犯上の問題点があった。
【０００５】
【発明が解決しようとする課題】
そこでこの発明は、上記従来の問題点を解決するためになされたもので、既存のシャッターに簡単に取り付けでき、しかもシャッターを閉めた状態でも室内を通風状態にできるようにしたシャッター用通風パネルを提供することを目的とするものである。
【０００６】
【課題を解決するための手段】
そのため、シャッターの左右のガイドレール11，11に左右端部を挿入し、上端をシャッターの下端で押さえて取り付けるようにしたパネル体からなり、そこに通気窓２を設けたシャッター用通風パネルを発明した。
【０００７】
このようにすれば、シャッターの左右のガイドレール11，11を利用して取り付けできるので、シャッター用通風パネルを取り付けるための工事が不要となる。しかも、パネル体には通気窓２が設けられているので、シャッターを閉めても通気窓２から外気が室内に入る。
【０００８】
そして、前記のパネル体が、パネル本体１の一端に、補助板７を出没自在に取り付けたものであり、補助板７の先がシャッターのガイドレール１１と係脱自在になったものとした。
【０００９】
このような構成にすれば、補助板７をパネル本体１に没入させると、パネル体の寸法が短くなるので、パネル体の着脱が容易になる。
【００１０】
請求項１記載の発明では、前述の構成に加え、パネル本体１に、補助板７がパネル本体１から突出した状態を維持するための止め具８を取り付けたものとした。
【００１１】
このような構成とし、止め具８により補助板７をパネル本体１から突出したままの状態とすれば、補助板７の先がシャッターのガイドレール11と係合したままの状態になり、シャッターを下ろした状態ではシャッター用通風パネルを外すことができなくなる。
【００１２】
請求項２記載の発明では、請求項１記載の構成に加え、パネル本体１の上下にガイドレール４，５を設け、ガイドレール４，５に、通気窓２を開閉可能とする窓遮蔽板６を摺動自在に取り付けたものとした。
【００１３】
このようにすれば、通気窓２の開き具合を窓遮蔽板６で調節できるようになる。
【００１４】
【発明の実施の形態】
以下、この発明のシャッター用通風パネルの実施の形態について図１〜図４に基づき説明する。
【００１５】
図１は、この発明のシャッター用通風パネルの斜視図であり、図２は部分拡大斜視図である。図３は、この発明のシャッター用通風パネルの使用状態を示す斜視図、図４は図３の横断面図、図５は図３の縦断面図である。
【００１６】
１は、鉄板等の丈夫な板材からなるパネル本体であり、パネル本体１の左右には通気窓２，２が設けられており、さらに通気窓２，２にはエキスパンドメタル等からなる丈夫な網３，３が取り付けられている。
【００１７】
また、パネル本体１の上端には上レール４が、下端には下レール５が設けられている。
【００１８】
さらに、パネル本体１の図示右側端には、シャッターのガイドレールに嵌入可能な突条1aを形成している。
【００１９】
符号６，６は、前記通気窓２，２を開閉する窓遮蔽板であり、上端が上レール４に、下端が下レール５に嵌入され、レール内を摺動するようになっている。
【００２０】
符号７は、前記窓遮蔽板と同様に板状に形成された補助板であり、上端が上レール４に、下端が下レール５に嵌入されてレール内を摺動するようになっており、補助板７の先がパネル本体１の図示左側端の開口端1bより出没するようになっている。
【００２１】
符号８は、補助板７が、パネル本体１の左側端の開口端1bより突出した状態を維持できるようにするために、パネル本体１に取り付けた止め具である。
【００２２】
この止め具８は、この実施例では、スプリング8aにより付勢された突起8bとしており、突起8bが突出した状態では、補助板７の図示右側端が当たり、補助板７の先が開口端1bより突出した状態になり、突起8bを押して没入させれば、補助板７を図示右側へ移動させて補助板７の先が没入した状態にできるようになっている。
【００２３】
この止め具８は、上記実施例に限らず、補助板７の移動を阻止し、補助板７の先がパネル本体１の左側端より突出した状態にできるものであれば、他の構造のものに変更可能である。
【００２４】
次に、この発明のシャッター用通風パネルの使用状態について説明する。
先ず、止め具８の突起8bを押して没入させ、補助板７を図示右側へ移動させ、補助板７の先がパネル本体１の開口端1bより突出しないようにする。
【００２５】
次に、パネル本体１の右側端の突条1aをシャッター10の図示右側のガイドレール11に嵌入する。そして、補助板７を図示左側へ移動させてパネル本体１の左側端の開口端1bより突出させ、補助板７の先端を図示左側のガイドレール11に嵌入する。すると、この発明のシャッター用通風パネルの左右端部が固定される。
【００２６】
このとき、止め具８の突起8bが、スプリング8aにより付勢されているので、突出し、補助板７がパネル本体１内に没入しないようになる。
【００２７】
以上のようにして、この発明のシャッター用通風パネルをガイドレール11，11に嵌めて取り付けてから、シャッター10を下ろして閉める。
【００２８】
すると、シャッター10の下端がこの発明のシャッター用通風パネルの上端を押し、取り付けが完了する。
【００２９】
防犯の目的で、シャッター10が上がらないようにするための錠前をパネル本体１の上部に取り付けて実施することもできる。
【００３０】
通気窓２の開き具合は、窓遮蔽板６で調節する。
通気窓２から雨が入らないように、通気窓２の室外側にフードを取り付けて実施することもできる。
【００３１】
【発明の効果】
以上のように、この発明のシャッター用通風パネルは、シャッターの左右のガイドレール11，11を利用して取り付けできるので、既存のシヤッターに何ら工事なしで簡単に取り付けでき、しかもパネル体には通気窓２が設けられているので、シャッター10を下ろして閉めても通気窓２から外気が入り、通風状態を保つことができる。
【００３２】
この発明では、前記の構成に加え、補助板７が出没自在になっているので、シャッターのガイドレール１１との係脱が簡単にできるようになり、着脱が容易になる。
【００３３】
請求項１記載の発明では、上述の構成に加え、パネル本体１に、補助板７がパネル本体１から突出した状態を維持する止め具８を取り付けたものとしており、止め具８により補助板７の先を突出した状態とすれば、シャッタを下ろした状態ではシャッター用通風パネルを外すことができなくなるので、防犯上安全なものとなる。
【００３４】
請求項２記載の発明では、請求項１記載の構成に加え、パネル本体１の上下にガイドレール４，５を設け、ガイドレール４，５に通気窓２を開閉可能とする窓遮蔽板６を摺動自在に取り付けたものとしており、通気窓２の開き具合を窓遮蔽板６で調節できるので、使いやすい便利なものになる。
【図面の簡単な説明】
【図１】この発明のシャッター用通風パネルの斜視図である。
【図２】この発明のシャッター用通風パネルの部分拡大斜視図である。
【図３】この発明のシャッター用通風パネルの使用状態を説明する斜視図である。
【図４】図３の横断面図である。
【図５】図３の縦断面図である。
【符号の説明】
１  パネル本体
２  通気窓
４  ガイドレール
５  ガイドレール
６  窓遮蔽板
７  補助板
８  止め具
11  ガイドレール
【図１】
0003932499.tif 000002
【図２】
0003932499.tif 000003
【図３】
0003932499.tif 000004
【図４】
0003932499.tif 000005
【図５】
0003932499.tif 000006